(57)【要約】【課題】ＬＥＤ（Light Emitting Diode）の熱を確実且つ充分に放熱させる。【解決手段】ロープライト１は、樹脂材で形成され索状を呈するロープ本体１１と、ロープ本体１１の内部に設けられたフレキシブル基板１２と、ロープ本体１１の内部におけるフレキシブル基板１２の一主面１２ａ上にロープ本体１１の延在方向に沿って複数設けられたＬＥＤ１３と、ロープ本体１１の内部におけるフレキシブル基板１２の他主面１２ｂ側に延在方向に沿って設けられＬＥＤ１３の熱を放熱するための冷却水を流通させる水流路と、を備えている。このようなロープライト１においては、ＬＥＤ１３からの熱が、単に外部へと放熱されるだけでなく、ロープ本体１１内に設けられた水流路１５に流通する冷却水によっても放熱されることとなる。【選択図】図２
2012151078.tif 000002
【特許請求の範囲】
【請求項１】
樹脂材で形成され、索状を呈するロープ本体と、
前記ロープ本体の内部に設けられ、可撓性を有する基板と、
前記ロープ本体の内部における前記基板の一主面上に、前記ロープ本体の延在方向に沿って複数設けられたＬＥＤと、
前記ロープ本体の内部における前記基板の他主面側に前記延在方向に沿って設けられ、前記ＬＥＤの熱を放熱するための冷却水を流通させる水流路と、を備えたことを特徴とするロープライト。
【請求項２】
前記水流路は、前記ロープ本体に形成された１又は複数の空間により構成されていることを特徴とする請求項１記載のロープライト。
【請求項３】
前記水流路は、前記ロープ本体に挿通された１又は複数の管部材により構成されていることを特徴とする請求項１又は２記載のロープライト。
【請求項４】
前記ロープ本体は、前記ＬＥＤが設けられた前記基板と併せて押出成形することによって形成されており、
前記ロープ本体の内部において前記ＬＥＤを少なくとも覆うように設けられたコーティング材をさらに備えたことを特徴とする請求項１〜３の何れか一項記載のロープライト。
【請求項５】
前記水流路は、前記ＬＥＤの熱で加熱された冷却水としての加熱冷却水を温水モジュールへ供給することを特徴とする請求項１〜４の何れか一項記載のロープライト。
【請求項６】
請求項１〜５の何れか一項記載のロープライトを具備するロープライトシステムであって、
前記水流路の下流側に接続され、前記加熱冷却水を流通させるヒータパイプを備えたことを特徴とするロープライトシステム。
【請求項７】
前記ロープライトは、植物栽培用光源であり、
前記ヒータパイプは、周囲雰囲気又は土壌を温めることを特徴とする請求項６記載のロープライトシステム。
【請求項８】
前記水流路の下流側に接続され、前記加熱冷却水を植物に灌水する第１灌水手段を備えたことを特徴とする請求項７記載のロープライトシステム。
【請求項９】
前記水流路の途中に接続され、前記冷却水を植物に灌水する第２灌水手段を備えたことを特徴とする請求項７又は８記載のロープライトシステム。
【請求項１０】
前記冷却水は、液肥であることを特徴とする請求項８又は９記載のロープライトシステム。
【発明の詳細な説明】
【技術分野】
【０００１】
本発明は、ロープライト、及びこれを具備するロープライトシステムに関する。
【背景技術】
【０００２】
従来のロープライトとしては、例えば特許文献１に記載されたものが知られている。このロープライトでは、樹脂材で形成されたロープ本体の内部に、当該ロープ本体の延在方向に沿って複数のチップ型ＬＥＤ（Light Emitting Diode）ライトが間隔を設けて連結されて配設されている。
【先行技術文献】
【特許文献】
【０００３】
【特許文献１】特開２００６−２０２５００号公報
【発明の概要】
【発明が解決しようとする課題】
【０００４】
ここで、上述したようなロープライトにおいては、例えばハイパワー型のＬＥＤを実装したりＬＥＤを高密度配置したり等することで、ロープライトの輝度（明るさ）を高めようとする場合、ＬＥＤの熱による悪影響が顕著となるおそれがある。そのため、上述したようなロープライトでは、特にその輝度を高める場合において、ＬＥＤの熱を確実且つ充分に放熱できることが望まれている。
【０００５】
そこで、本発明は、ＬＥＤの熱を確実且つ充分に放熱させることができるロープライト、及びこれを具備するロープライトシステムを提供することを課題とする。
【課題を解決するための手段】
【０００６】
上記課題を解決するため、本発明に係るロープライトは、樹脂材で形成され、索状を呈するロープ本体と、ロープ本体の内部に設けられ、可撓性を有する基板と、ロープ本体の内部における基板の一主面上に、ロープ本体の延在方向に沿って複数設けられたＬＥＤと、ロープ本体の内部における基板の他主面側に延在方向に沿って設けられ、ＬＥＤの熱を放熱するための冷却水を流通させる水流路と、を備えたことを特徴とする。
【０００７】
この本発明のロープライトでは、ＬＥＤからの熱は、単に外部へと放熱されるだけでなく、ロープ本体内に設けられた水流路を流通する冷却水によっても放熱されることとなる。従って、本発明によれば、ＬＥＤの熱を確実且つ充分に放熱させることができ、その結果、例えばハイパワー型のＬＥＤを実装等してロープライトの輝度を高めることが可能となる。
【０００８】
また、上記作用効果を好適に奏する構成として、具体的には、水流路は、ロープ本体に形成された１又は複数の空間により構成されている場合や、水流路は、ロープ本体に挿通された１又は複数の管部材により構成されている場合がある。
【０００９】
また、ロープ本体は、ＬＥＤが設けられた基板と併せて押出成形することによって形成されており、ロープ本体の内部においてＬＥＤを少なくとも覆うように設けられたコーティング材をさらに備えたことが好ましい。この場合、ＬＥＤを保護することができると共に、押出成形で形成されたロープ本体の外面に、ＬＥＤの形状に倣った凹凸が形成されるのを抑制することが可能となる。
【００１０】
また、水流路は、ＬＥＤの熱で加熱された冷却水としての加熱冷却水を温水モジュールへ供給することが好ましい。この場合、ＬＥＤの熱を利用して省エネ及び低炭素化を実現することができる。
【００１１】
また、本発明に係るロープライトシステムは、上記ロープライトを具備するロープライトシステムであって、水流路の下流側に接続され、加熱冷却水を流通させるヒータパイプを備えたことを特徴とする。
【００１２】
この本発明のロープライトシステムにおいても、上記ロープライトを具備するため、ＬＥＤの熱を確実且つ充分に放熱させることが可能となる。さらに、加熱冷却水を流通させるヒータパイプによってＬＥＤの熱を利用することができる。
【００１３】
また、ロープライトは、植物栽培用の光源であり、ヒータパイプは、周囲雰囲気又は土壌を温めることが好ましい。この場合、ＬＥＤの熱を、植物栽培の際における暖房に利用することが可能となる。
【００１４】
また、水流路の下流側に接続され、加熱冷却水を植物に灌水する第１灌水手段を備えたことが好ましい。この場合、水流路を流通後の加熱冷却水を植物に灌水することが可能となる。
【００１５】
また、水流路の途中に接続され、冷却水を植物に灌水する第２灌水手段を備えたことが好ましい。この場合、水流路に冷却水を流通させてＬＥＤの熱を放熱するだけでなく、水流路を流通中の冷却水を植物に灌水することが可能となる。
【００１６】
このとき、冷却水は、液肥であることが好ましい。この場合、冷却水を植物に液肥として供給することが可能となる。
【発明の効果】
【００１７】
本発明によれば、ＬＥＤの熱を確実且つ充分に放熱させることが可能となる。
【図面の簡単な説明】
【００１８】
【図１】本発明の第１実施形態に係るロープライトを具備するロープライトシステムの概略構成図である。
【図２】（ａ）は図１のロープライトを示す側断面図であり、（ｂ）は図２（ａ）のII（ｂ）−II（ｂ）線に沿っての断面図である。
【図３】（ａ）は図１のロープライトの他の例を示す図２（ｂ）に対応する断面図、（ｂ）は図１のロープライトのさらに他の例を示す図２（ｂ）に対応する断面図である。
【図４】（ａ）は本発明の第２実施形態に係るロープライトを示す図２（ｂ）に対応する断面図、（ｂ）は図４（ａ）のロープライトの他の例を示す図２（ｂ）に対応する断面図である。
【図５】（ａ）は図４（ａ）のロープライトのさらに他の例を示す図２（ｂ）に対応する断面図、（ｂ）は図４（ａ）のロープライトの別の他の例を示す図２（ｂ）に対応する断面図である。
【図６】（ａ）はコーティング材を備えないロープライトの一例を示す図２（ｂ）に対応する断面図、（ｂ）は他のコーティング材に係るロープライトの一例を示す図２（ｂ）に対応する断面図である。
【発明を実施するための形態】
【００１９】
以下、添付図面を参照して、本発明の好適な実施形態について詳細に説明する。なお、以下の説明において、同一又は相当要素には同一符号を付し、重複する説明を省略する。
【００２０】
［第１実施形態］
まず、本発明の第１実施形態について説明する。図１は本発明の第１実施形態に係るロープライトを具備するロープライトシステムの概略構成図、図２は図１のロープライトを示す断面図である。図１に示すように、本実施形態のロープライトシステム１００は、施設栽培（植物工場）においてロープライト１を植物栽培用光源として具備するものである。ここでのロープライトシステム１００では、ハウス１０１内の植物１０２を栽培するために、ロープライト１が補光光源又は防蛾光源として用いられている。
【００２１】
このロープライトシステム１００は、ロープライト１と、ハウスヒータ２と、土中ヒータ３と、灌水用点滴チューブ４と、コントローラ５と、を備えている。図２に示すように、ロープライト１は、長尺索状（紐状又はロープ状）を呈するロープ本体１１と、ロープ本体１１の内部に設けられたフレキシブル基板（基板）１２と、ロープ本体１１の内部におけるフレキシブル基板１２上に並設されたＬＥＤ１３と、ロープ本体１１の内部においてＬＥＤ１３を覆うよう設けられたコーティング材１４と、ロープ本体１１の内部にて冷却水Ｗを流通させる水流路１５と、構成されている。
【００２２】
ロープ本体１１は、その用途や使用目的に応じた所定長延在しており、例えばＰＶＣ（ポリ塩化ビニル）等の樹脂材で形成されている。このロープ本体１１は、可撓性を有している、つまり、柔軟性があり大きく変形させることが可能とされている。ここでのロープ本体１１は、その延在方向と直交する断面である横断面（以下、単に「横断面」という）外形が矩形形状を呈している。なお、ロープ本体１１の横断面外形は、矩形形状に限定されるものではなく、種々の外形形状とすることができる。
【００２３】
フレキシブル基板１２は、可撓性を有するプリント基板であり、例えば銅等で形成され厚さ０．５ｍｍの横断面矩形板状を呈している。このフレキシブル基板１２は、一方側の主面である一主面１２ａ、及び当該一主面１２ａと反対側の他主面１２ｂを含んでいる。このフレキシブル基板１２は、ロープ本体１１内の略中央位置において当該ロープ本体１１の延在方向に沿って延びている。
【００２４】
ＬＥＤ１３は、発光源として機能するものである。このＬＥＤ１３としては、例えば１Ｗ〜５Ｗの出力を有するハイパワー型の超高輝度ＬＥＤが用いられている。また、ここでのＬＥＤ１３は、表面実装型（マウント型）のものとされている。ＬＥＤ１３は、ロープ本体１１内におけるフレキシブル基板１２の一主面１２ａに、ロープ本体１１の延在方向に沿って所定間隔で複数並設されている。
【００２５】
コーティング材１４は、例えば透明樹脂により形成されており、ロープ本体１１内においてＬＥＤ１３を少なくとも覆うようにフレキシブル基板１２の一主面１２ａ側に設けられている。このコーティング材１４の外面１４ａは、ロープ本体１１の外面１１ａに沿った滑らかな曲面状となっている。
【００２６】
水流路１５は、ＬＥＤ１３の熱を放熱するための水等の液状流体である冷却水Ｗを流通させ、フレキシブル基板１２及びＬＥＤ１３を少なくとも冷却する。この水流路１５は、ロープ本体１１に設けられた水密構造を呈する空洞である。つまり、ここでの水流路１５は、ロープ本体１１に形成された空間（孔）により構成されている。
【００２７】
この水流路１５は、ロープ本体１１内におけるフレキシブル基板１２の他主面１２ｂ側に、該他主面１２ｂに近接するよう設けられている。具体的には、水流路１５は、ロープ本体１１内における他主面１２ｂから所定距離だけ離間した位置に形成されており、他主面１２ｂとの間にロープ本体１１の樹脂材が介在するように構成されている。これにより、冷却水Ｗのフレキシブル基板１２側への漏洩が好適に防止されている。
【００２８】
また、水流路１５は、ロープ本体１１において延在方向の一端から他端まで通じるように当該延在方向に沿って設けられている。水流路１５の横断面形状は、例えばＬＥＤ１３の幅よりも幅広の矩形形状（角型水路）とされている。また、水流路１５は、例えばＬＥＤ１３の発熱量に応じた所定流量の冷却水Ｗを流通可能な流路面積を有している。この水流路１５は、ＬＥＤ１３の熱で加熱された冷却水Ｗである加熱冷却水（つまり、温水。以下、単に「加熱冷却水」という）Ｗ１を、後段のハウスヒータ２及び土中ヒータ３（図１参照）へと供給する。
【００２９】
このように構成されたロープライト１は、押出成形により形成されている。具体的には、フレキシブル基板１２の一主面１２ａにＬＥＤ１３が設け、この状態で当該ＬＥＤ１３をコーティング材１４により覆うことにより中間体を形成する。これと共に、水流路１５を画成するためのものとして、当該水流路１５に対応する形状の水流路成形型を用意する。そして、この中間体と水流路成形型とを含むようにして、溶融樹脂を押出成形機から連続的に押し出してロープ本体１１を成形し、これにより、ロープライト１を形成する。換言すると、ロープ本体１１を、コーティング材１４で覆われたＬＥＤ１３を有するフレキシブル基板１２及び水流路成形型と併せて押出成形することにより、ロープライト１を製造する。
【００３０】
図１に戻り、ハウスヒータ２は、ハウス１０１内の周囲雰囲気を温める温水モジュール（温水利用設備）であり、ハウスヒータパイプ２１を有している。ハウスヒータパイプ２１は、水流路１５の下流端部に接続されており、水流路１５を流通後の加熱冷却水Ｗ１を流通させる。
【００３１】
土中ヒータ３は、土壌を温める温水モジュールであり、栽培トレイ１０４の土壌１０３中に埋設された土中ヒータパイプ３１を有している。土中ヒータパイプ３１は、ハウスヒータパイプ２１の下流端部に接続されている、すなわち、水流路１５の下流側にハウスヒータパイプ２１を介して接続されている。この土中ヒータパイプ３１は、ハウスヒータパイプ２１を流通後の加熱冷却水Ｗ１を流通させる。また、土中ヒータパイプ３１は、穿設された細孔３２を複数有しており、この複数の細孔３２により加熱冷却水Ｗ１の少なくとも一部を植物１０２に灌水する。
【００３２】
灌水用点滴チューブ４は、水流路１５を流通する冷却水Ｗの一部を植物１０２の根本へと点滴灌水するものであり、水流路１５の途中に接続されている。コントローラ５は、ロープライト１に対して動作制御及び電力制御を実施するものであり、例えばＬＥＤ１３の点灯及び消灯を制御する。
【００３３】
以上のように構成されたロープライトシステム１００では、ロープライト１のＬＥＤ１３が点灯している際、ポンプＰが駆動され、ロープライト１の水流路１５に上流側から冷却水Ｗが流入される。そして、ロープライト１においては、ＬＥＤ１３の発熱量に応じた所定流量の冷却水Ｗが水流路１５を下流側へと流れ、その際に、ＬＥＤ１３の点灯に伴い発生した熱が冷却水Ｗへと移動されて放熱され、ＬＥＤ１３及びフレキシブル基板１２が少なくとも冷却されることとなる。
【００３４】
その後、ロープライト１の水流路１５の下流側から加熱冷却水Ｗ１が流出され、この加熱冷却水Ｗ１がハウスヒータパイプ２１内にて流通され、これにより、ハウス１０１内が温められる。続いて、加熱冷却水Ｗ１が土中ヒータパイプ３１内にて流通され、これにより、土壌１０３が温められる。このとき、土中ヒータパイプ３１の複数の細孔３２から加熱冷却水Ｗ１の少なくとも一部が土壌１０３に導出され、これにより、植物１０２に灌水される。そして最後に、残りの加熱冷却水Ｗ１は、例えばロープライト１の流入前の冷却水Ｗに合流される。
【００３５】
以上、本実施形態においては、ＬＥＤ１３からの熱は、単に外部へと放熱されるだけでなく、ロープ本体１１内に設けられた水流路１５を流通する冷却水Ｗによっても積極的に放熱されることとなる。従って、本実施形態によれば、ＬＥＤ１３の熱を確実且つ充分に放熱させることができ、ハイパワー型のＬＥＤ１３を実装してロープライト１の輝度を高めた場合でも、ＬＥＤ１３の熱による悪影響を好適に抑制することが可能となる。
【００３６】
また、本実施形態のロープライト１では、上述したように、ロープ本体１１がフレキシブル基板１２と併せて押出成形することによって形成される際、フレキシブル基板１２の一主面１２ａ上のＬＥＤ１３がコーティング材１４で覆われている。よって、コーティング材１４によりＬＥＤ１３を保護できると共に、押出成形で形成されたロープ本体１１の外面１１ａにＬＥＤ１３の形状に倣った凹凸が形成されるのを抑制し、当該外面１１ａを滑らかな滑面とすることが可能となる。
【００３７】
また、本実施形態では、水流路１５から加熱冷却水Ｗ１をハウスヒータ２及び土中ヒータ３へ供給することにより、ハウスヒータパイプ２１で周囲雰囲気を温めると共に、土中ヒータパイプ３１で土壌１０３を温めることができる。つまり、ＬＥＤ１３の熱が植物栽培の際における暖房に利用されることとなる。このように本実施形態では、ＬＥＤ１３の熱を利用して温水を作り、それを利用することにより省エネ及び低炭素化を実現することが可能となる。なお、施設栽培では、一般的に、冬季の暖房及び補光が特に重要視されることから、本実施形態は冬季にて特に有効なものともいえる。
【００３８】
また、本実施形態では、上述したように、土中ヒータパイプ３１の複数の細孔３２から加熱冷却水Ｗ１が植物１０２に灌水されるため、水流路１５を流通後の加熱冷却水Ｗ１を、植物１０２に水分として供給することが可能となる。
【００３９】
また、本実施形態では、灌水用点滴チューブ４が水流路１５の途中に接続されていることから、水流路１５を流通する冷却水Ｗの一部を植物１０２の根本へと点滴灌水し、冷却水Ｗの一部を植物１０２に水分として供給することができる。
【００４０】
なお、本実施形態では、上述したように、土中ヒータパイプ３１により加熱冷却水Ｗ１の少なくとも一部を植物１０２に灌水させ、残りの加熱冷却水Ｗ１をロープライト１の流入前の冷却水Ｗに合流させているが、全ての加熱冷却水Ｗ１を植物１０２に灌水させる場合もある。
【００４１】
ちなみに、本実施形態のロープライト１における水流路１５は、上記構成に限定されるものではなく、冷却水Ｗを流通させるものであれば種々の構成としてもよい。例えば、図３（ａ）に示すように、ロープライト１は、水流路１５（図２（ｂ）参照）に代えて、横断面形状が円形（丸型水路）の水流路２５を備えていてもよい。この水流路２５は、横断面において、フレキシブル基板１２の主面に沿う方向（図示左右方向）における位置がＬＥＤ１３と等しい位置とされている。
【００４２】
また、例えば図３（ｂ）に示すように、ロープライト１は、水流路１５（図２（ｂ）参照）に代えて、複数（ここでは２つ）の水流路３５を備えていてもよい。これらの水流路３５，３５は、横断面において、フレキシブル基板１２の厚さ方向（図示上下方向）における位置が互いに等しくなるようにして、フレキシブル基板１２の主面に沿う方向に所定間隔で並設されている。
【００４３】
上記において、細孔３２を有する土中ヒータ３が第１灌水手段を構成し、灌水用点滴チューブ４が第２灌水手段を構成する。
【００４４】
［第２実施形態］
次に、本発明の第２実施形態について説明する。本実施形態の説明では、上記第１実施形態と異なる点について主に説明する。
【００４５】
図４（ａ）は、本発明の第２実施形態に係るロープライトを示す断面図である。図４（ａ）に示すように、本実施形態のロープライト５１が上記ロープライト１と異なる点は、水流路１５（図２（ｂ）参照）に代えて、水流路５５を備えた点である。
【００４６】
水流路５５は、ロープ本体１１に挿通されたパイプ５５ａ（管部材）により画設され構成されている。つまり、水流路５５は、ロープ本体１１の内部にパイプ５５ａを挿入して形成されたパイプ挿入型のものである。パイプ５５ａは、矩形筒形状とされており、ロープ本体１１内において延在方向の一端から他端まで通じるように当該延在方向に沿って設けられている。このパイプ５５ａは、例えばＰＥ（ポリエチレン）等の樹脂材で形成されている。
【００４７】
この本実施形態のロープライト５１は、コーティング材１４で覆われたＬＥＤ１３を有する上記中間体とパイプ５５ａとを含むようにして、溶融樹脂を押出成形機から連続的に押し出してロープ本体１１を成形することにより形成される。
【００４８】
以上、本実施形態においても、ＬＥＤ１３の熱を確実且つ充分に放熱させることができ、ハイパワー型のＬＥＤ１３を実装してロープライト１の輝度を高めた場合でも、ＬＥＤ１３の熱による悪影響を抑制することが可能となる。
【００４９】
また、本実施形態では、上述したように、水流路５５がロープ本体１１内に挿通されたパイプ５５ａにより構成されていることから、冷却水Ｗの水流路５５からの漏洩を確実に抑制することができる。その結果、例えば水流路５５をフレキシブル基板１２に対し一層近接させ、ＬＥＤ１３の熱を好適に放熱することが可能となる。
【００５０】
図４（ｂ）は、図４（ａ）のロープライトの他の例を示す横断面図である。本実施形態のロープライト５１は、図４（ｂ）に示すように、水流路５５（図４（ｂ）参照）に代えて、上記水流路２５と同様な流路形状の水流路６５を備えていてもよい。水流路６５は、ロープ本体１１の内部に挿通されたパイプ６５ａにより画設され構成されている。パイプ６５ａは、円形筒形状とされており、ロープ本体１１において延在方向の一端から他端まで通じるように当該延在方向に沿って設けられている。
【００５１】
図５（ａ）は、図４（ａ）のロープライトのさらに他の例を示す横断面図である。本実施形態のロープライト５１は、図５（ａ）に示すように、水流路５５（図４（ｂ）参照）に代えて、上記水流路３５と同様な流路形状の複数（ここでは２つ）の水流路７５を備えていてもよい。これらの水流路７５，７５は、ロープ本体１１の内部に挿通されたパイプ７５ａ，７５ａによりそれぞれ画設され構成されている。パイプ７５ａは、矩形筒形状とされており、ロープ本体１１において延在方向の一端から他端まで通じるように当該延在方向に沿って設けられている。
【００５２】
図５（ｂ）は、図４（ａ）のロープライトの別の他の例を示す横断面図である。本実施形態のロープライト５１では、図５（ｂ）に示すように、ロープ本体１１内であってフレキシブル基板１２の一主面１２ａに、横断面において複数（ここでは、２つ）のＬＥＤ１３がフレキシブル基板１２の主面に沿う方向に並ぶよう設けられていてもよい。そして、水流路５５（図４（ｂ）参照）に代えて、複数（ここでは２つ）の水流路８５を備えていてもよい。
【００５３】
水流路８５，８５のそれぞれは、横断面において、フレキシブル基板１２の主面に沿う方向の位置がＬＥＤ１３，１３の各位置と等しい位置にされている。また、水流路８５，８５は、横断面において、フレキシブル基板１２の厚さ方向における位置が互いに等しくなるようにして、フレキシブル基板１２の主面に沿う方向に所定間隔で並設されている。この水流路８５は、ロープ本体１１の内部に挿通されたパイプ８５ａにより画設され構成されている。パイプ８５ａは、円形筒形状とされており、ロープ本体１１において延在方向の一端から他端まで通じるように当該延在方向に沿って設けられている。
【００５４】
以上、本発明の好適な実施形態について説明したが、本発明は、上記実施形態に限られるものではなく、各請求項に記載した要旨を変更しない範囲で変形し、又は他のものに適用したものであってもよい。
【００５５】
例えば、上記実施形態では、ロープライト１，５１を植物栽培用光源に適用したが、間接照明用光源や、イルミネーション（ディスプレイ）用光源等にも適用することが可能である。また、ＬＥＤ１３として、表面実装型のものを用いているが、砲弾型（ランプ型）のものを用いてもよく、様々な種類のＬＥＤを用いることができる。
【００５６】
また、上記実施形態では、ロープライト１の輝度を高めるべくハイパワー型のＬＥＤ１３を実装しているが、高輝度ＬＥＤをフレキシブル基板１２上に密に配置（高密度配置）してロープライト１の輝度を高める場合もある。
【００５７】
また、図６（ａ）に示すように、例えば押出成形に際してロープ本体１１の外面１１ａにＬＥＤ１３の形状に倣った凹凸が形成されるのを抑制可能であれば、ロープライト１は、コーティング材１４を備えない場合もある。
【００５８】
また、図６（ｂ）に示すように、ロープライト１は、コーティング材１４に代えて、コーティング材５４を備える場合もある。コーティング材５４は、ロープ本体１１内において、フレキシブル基板１２、ＬＥＤ１３及び水流路１５を囲うように覆いながらロープ本体１１の延在方向に沿って延在している。換言すると、コーティング材５４は、ロープ本体１１の延在方向に沿う筒状を呈しており、その筒内にフレキシブル基板１２、ＬＥＤ１３及び水流路１５を位置させている。このようなコーティング材５４においても、押出成形に際してロープ本体１１の外面１１ａにＬＥＤ１３の形状に倣った凹凸が形成されるのを抑制することができる。
【００５９】
また、上記実施形態の水流路１５，２５，３５，５５，６５，７５，８５は、冷却水Ｗとして水等を流通させているが、液肥（液体栄養剤）を冷却水Ｗとして流通させてもよい。この場合、冷却水Ｗ又は加熱冷却水Ｗ１を植物１０２に液肥として供給することが可能となる。
【００６０】
なお、本発明のロープライトの構成は、上記実施形態の構成に限定されず、例えば図１〜６に示すロープ本体、基板、ＬＥＤ及び水流路の各構成を適宜組み合わせた構成としてもよい。上記において、「矩形」、「円形」、「等しい」の語は、略矩形、略円形、略等しいを含むものであり、また、製造上の誤差やバラツキを含んでいる。
【符号の説明】
【００６１】
１，５１…ロープライト、２…ハウスヒータ（温水モジュール）、３…土中ヒータ（温水モジュール，第１灌水手段）、４…灌水用点滴チューブ（第２灌水手段）、１１…ロープ本体、１２…フレキシブル基板（基板）、１２ａ…一主面、１２ｂ…他主面、１３…ＬＥＤ、１４，５４…コーティング材、１５，２５，３５，５５，６５，７５，８５…水流路、２１…ハウスヒータパイプ（ヒータパイプ）、３１…土中ヒータパイプ（ヒータパイプ）、５５ａ，６５ａ，７５ａ，８５ａ…パイプ（管部材）、１００…ロープライトシステム、Ｗ…冷却水、Ｗ１…加熱冷却水。
【図１】
2012151078.tif 000003
【図２】
2012151078.tif 000004
【図３】
2012151078.tif 000005
【図４】
2012151078.tif 000006
【図５】
2012151078.tif 000007
【図６】
2012151078.tif 000008